(57)【要約】      （修正有）【課題】インターネットなどを介して行われる楽曲配信に関して、これまでより安い金額で、或いは無料で楽曲を提供することを可とする楽曲データの作成装置を提供する。【解決手段】楽曲データとコマーシャルデータとを記憶する記憶装置１０と、この記憶装置からこれ等のデータを読み出して楽曲データの前または後にコマーシャルデータを付ける編集装置１４とから構成し、コマーシャルデータは楽曲データの前、後、あるいは前後に付けることが出来る。これによって楽曲データを再生すると必ずコマーシャルデータが再生されてユーザーの耳に届き、所期の宣伝効果を上げることが出来る。【選択図】図１
0003146496.tif 000002
【実用新案登録請求の範囲】
【請求項１】
楽曲データとコマーシャルデータとを記憶する記憶装置と、この記憶装置からこれ等のデータを読み出して楽曲データの前または後にコマーシャルデータを付ける編集装置と、から成ることを特徴とする、コマーシャル入り楽曲データの作成装置。
【請求項２】
前記編集装置は更にコマーシャル入りの楽曲データに、この楽曲データの演奏回数などに制限を付けるためのデータである、ライフタイムデータを付けるものである、請求項１に記載のコマーシャル入り楽曲データの作成装置。
【請求項３】
前記編集装置は更にコマーシャル入りの楽曲データのダウンロード記録を基にダウンロード回数の多い楽曲データに順位を付けると共に、コマーシャルデータにも順位を付けておき、順位の高い楽曲データから順に順位の高いコマーシャルデータを割り振って付けるものである、請求項１に記載のコマーシャル入り楽曲データの作成装置。
【請求項４】
前記コマーシャルデータが音声データである請求項１に記載のコマーシャル入りの楽曲データ。
【請求項５】
前記コマーシャルデータが動画データである請求項１に記載のコマーシャル入りの楽曲データ。
【考案の詳細な説明】
【技術分野】
【０００１】  この考案は、これまでより安い金額でまたは無料で楽曲を提供することが出来るようにしたコマーシャル入り楽曲データの作成装置に関するものである。
【背景技術】
【０００２】  従来楽曲は、レコード盤、カセットテープ、ＣＤ（Ｃｏｍａｐａｃｔ  Ｄｉｓｃ）、ＭＤ（Ｍｉｎｉ  Ｄｉｓｃ）等の記録媒体に記録されたものが提供されていたが、近年インターネットの普及によって、直接パーソナルコンピュータにダウンロードする方式で楽曲データを購入することが盛んになって来つつある。また記憶容量の増大や携帯電話に於けるデータ通信料金の定額化に伴なって、携帯電話でダウンロードすることも行なわれ始めている。【０００３】  楽曲データをダウンロードして演奏することに関しては特開２００４−３５４７４６が参考になる。このものは一方のバッファに記憶した楽曲データの再生中に次の楽曲データをダウンロードしてもう一方のバッファに記憶しておき、一方のバッファの楽曲データの演奏が終了したらもう一方のバッファの楽曲データの再生を開始すると共に、演奏が終了した方のバッファには次の楽曲データをダウンロードするようにする。こうしてこれ等のバッファから交互に楽曲データを読み出して、途切れることなく再生することが出来るようにした音楽配信システムである。
【特許文献１】特開２００４−３５４７４６
【考案の開示】
【考案が解決しようとする課題】
【０００４】  上述した特開２００４−３５４７４６の音楽配信システムによれば、配信された楽曲データを途切れることなく再生することが出来るが、高額の利用料金がこのサービスの利用を制限するであろうことは目に見えている。この音楽配信システムは楽曲データの連続再生に係るものであるが、連続再生ではなくてもたくさんの楽曲データをダウンロードする場合には同様にユーザーの利用料金の負担が大きくなることが問題となる。【０００５】  楽曲データのダウンロードを活発にして音楽配信ビジネスを拡大するためにはこのような利用料金の問題を解決しなくてはならない。従ってこの考案の課題はこれまでより安い金額で、あるいは無料で楽曲を提供することが出来るようにすることにある。
【課題を解決するための手段】
【０００６】  上記課題の解決に先立ち当考案者はテレビやラジオの番組にスポンサーのコマーシャルを付けてユーザーに提供することでユーザーには視聴料金を負担させないようにしているが、このような仕組みを楽曲データの配信にも応用することが出来るのではないかと言う知見を得た。即ち上記の課題は、楽曲データとコマーシャルデータとを記憶する記憶装置と、この記憶装置からこれ等のデータを読み出して楽曲データの前または後にコマーシャルデータを付ける編集装置と、から成ることを特徴とする、コマーシャル入り楽曲データの作成装置とすることにより達成される。【０００７】  コマーシャルデータは楽曲データの前、後、あるいは前後に付けることが出来る。これによって楽曲データを再生すると必ずコマーシャルデータが再生されてユーザーの耳に届き、所期の宣伝効果を上げることが出来るのであり、この結果楽曲データ再生の一部料金または全部料金が賄われることになりユーザーの利用料金の負担を減らせる効果には極めて大きいものがある。なお前記コマーシャルデータを音声データとすることが出来る。楽曲データもコマーシャルデータも音声再生装置を用いて再生される。また前記コマーシャルデータを動画データとすることが出来る。コマーシャルデータは動画再生装置を用いて再生される。なお動画再生装置は音声データのみの再生も可能なように構成されるのが一般的である。【０００８】  こうして作成されたコマーシャル入りの楽曲データは、インターネットを経由したダウンロードやストリーミングによってユーザーに提供されるのが一般的である。またこれとは別に、デジタル放送のデータ放送部分にコマーシャル入りの楽曲データを乗せることにより、放送を通じてユーザーに提供することも可能である。またＶＩＣＳ（Ｖｅｈｉｃｌｅ  Ｉｎｆｏｒｍａｔｉｏｎ＆Ｃｏｍｍｕｎｉｃａｔｉｏｎ  Ｓｙｓｔｅｍ：登録商標）などの道路交通情報通信を利用しＦＭ多重放送やビーコンにコマーシャル入りの楽曲データを乗せて、ユーザーのカーナビゲーションシステムに設けた演奏装置に提供することも可能である。またＣＤ−ＲＯＭなどの記録媒体によって流通させることも可能である。従ってこの考案の作成装置が作成したコマーシャル入りの楽曲データの流通形態には何等の限定もない。【０００９】  次に編集装置は更に、コマーシャル入りの楽曲データにライフタイムデータを付すようにすることが出来る。ライフタイムデータとはこの楽曲データの演奏回数などに制限を付けるためのデータであり、これをカウントしてライフタイムを経過した場合には再生ができないようにするためのものである。この考案のコマーシャル入りの楽曲データの特徴は正にコマーシャルが付いている点にあるが、コマーシャルは計画的に流されるべきものであって、これがいつまでも流通しているようでは困ると言う場合がある。例えばファイル交換ソフトによってＰ２Ｐ（Ｐｅｅｒ  ｔｏ  Ｐｅｅｒ）にてやり取りされると、コマーシャル入りの楽曲データが永久にインターネット上に存在し続けることになりかねない。こう言う場合にはライフタイムデータを付すようにすれば、所定の回数だけ再生されると消尽する。なお楽曲データの再生そのものを制限したい場合にもこのラ��フタイムデータは有効である。このライフタイムを監視する機能は上述した音声再生装置や動画再生装置に持たせるようにすればよい。なおインターネットのパケットで用いられているＴＴＬ（Ｔｉｍｅ  Ｔｏ  Ｌｉｖｅ）などの技術も参考になる。【００１０】  さて前記編集装置は更に、コマーシャル入りの楽曲データのダウンロード記録を基にダウンロード回数の多い楽曲データに順位を付けると共に、コマーシャルデータにも順位を付けておき、順位の高い楽曲データから順に順位の高いコマーシャルデータを割り振って付けてコマーシャル入りの楽曲データを作成するようにすることが出来る。これには２通りがあり、その一はダウンロード回数の多い楽曲データほど高額なスポンサー料金を得ることができるコマーシャルデータを割り振るようにする場合と、その二はダウンロード回数の多い楽曲データと人気の高いコマーシャルとを組み合わせる場合とである。前者は配信側の利益を上げるための（即ちユーザーにこれまでより安い金額であるいは無料で楽曲を提供するための）ビジネスモデルとして最適であり、後者はユーザー側の嗜好の利益に叶うものである。何れにせよ楽曲データとコマーシャルデータとの組み合わせはここでは一定ではなく、楽曲データとコマーシャルデータとの組み合わせに変化がある点が重要である。
【考案の効果】
【００１１】  この考案のコマーシャル入り楽曲データの作成装置は、編集装置が楽曲データの前または後にコマーシャルデータを付けて、コマーシャル入りの楽曲データを作成するようにしたことにより、スポンサーからの広告料金で楽曲データ再生の一部料金または全部料金が賄われるため、ユーザーにこれまでよりも安い金額で或いは無料で楽曲を提供することができるようになる、と言う効果を奏する。【００１２】  この編集装置が、コマーシャル入りの楽曲データにライフタイムデータを付せば、コマーシャルデータの流通に期限を設けることなどが可能となる。また楽曲データとコマーシャルデータとの組み合わせを、楽曲データのダウンロード回数の多少によって変えることにより、人気の高い楽曲には広告料金の高いコマーシャルを付けることが可能になる。
【考案を実施するための最良の形態】
【００１３】  ［第１実施形態］
この実施形態を図１乃至図３を用いて説明する。図１はコマーシャル入り楽曲データの作成装置１のブロック図、図２（ａ）（ｂ）（ｃ）はコマーシャル入り楽曲データ２，２２，２３の説明図、また図３は作成装置１からインターネットを介してユーザー端末９へ配信する状態を表わす説明図である。【００１４】  作成装置１は楽曲データ記憶部１１とコマーシャルデータ記憶部１２との記憶領域が確保された記憶装置１０と、この記憶装置１０へ楽曲データ２０やコマーシャルデータ２１を記憶したり更新したりする記憶制御部１３と、この記憶制御部１３により記憶装置１０から楽曲データ２０及びコマーシャルデータ２１を読み出して両者を接合するデータ編集部１４と、こうして作成されたコマーシャル入り楽曲データ２を、ユーザー端末９からの要求によりユーザー端末９へ送信する通信部１５とから構成されている。すなわちこの作成装置１は記憶装置１０の楽曲データ記憶部１１から楽曲データ２０を読み出すと共にコマーシャルデータ記憶部１２からコマーシャルデータ２１を読み出し、こうして読み出された楽曲データ２０とコマーシャルデータ２１に付いて楽曲データ２０の先頭部分にコマーシャルデータ２１を接合して、出来上がったコマーシャル入り楽曲データ２をユーザー端末９へ向けて送信する処理を行なう。この結果この作成装置１は図３で表わしたようにインターネットを経由してユーザー端末９へ、図２の（ａ）で表わしたコマーシャル入り楽曲データ２を送信する。【００１５】  このコマーシャル入り楽曲データ２はユーザー端末９で受信されて演奏されるが、ユーザー端末９では当然のことながら先頭部分のコマーシャルデータ２１を再生することと、楽曲データ２０を再生することが順次実行される。従ってユーザーは所望の楽曲を聴くに先立ってコマーシャルを聞くことになる。【００１６】  なおこの作成装置１では、図２（ａ）で表わした楽曲データ２０の先頭部分にコマーシャルデータ２１を接合したコマーシャル入り楽曲データ２以外にも、図２（ｂ）のような楽曲データ２０の末尾部分にコマーシャルデータ２１を接合したコマーシャル入り楽曲データ２２や、図２（ｃ）で表わした楽曲データ２０の先頭部分および末尾部分にコマーシャルデータ２１を接合したコマーシャル入り楽曲データ２３を要求に応じて作成することが出来るように構成されている。【００１７】  ［第２実施形態］
この実施形態を図４のコマーシャル入り楽曲データの作成装置３のブロック図を用いて説明する。作成装置３は楽曲データ記憶部３２とコマーシャルデータ記憶部３３とコマーシャル入り楽曲データ記憶部３１の記憶領域が確保された記憶装置３０と、この記憶装置３０へ楽曲データ４０やコマーシャルデータ４１を記憶したり更新したりする記憶制御部３４と、この記憶制御部３４により記憶装置３０から楽曲データ４０およびコマーシャルデータ４１を読み出して両者を接合するデータ編集部３５と、（こうして作成されたコマーシャル入り楽曲データ４は記憶制御部３４により一旦コマーシャル入り楽曲データ記憶部３１に格納されるが）ユーザー端末からの要求によってユーザー端末へストリーム送信するストリーム送信部３６とから構成されている。またこうして作成されたコマーシャル入り楽曲データ４は、必要に応じて図示しない放送装置へと送られて、テレビのデジタル放送中のデータ放送としてユーザーのテレビ受信機に送信されるように構成されている。【００１８】  またコマーシャル入り楽曲データ記憶部３１に格納されたコマーシャル入り楽曲データ４は、記憶制御部３４によりＣＤ−ＲＯＭ５へコピーし得るように構成されている。従ってこのコマーシャル入り楽曲データ４を雑誌の付録などとして利用することが出来る。【００１９】  ［第３実施形態］
この実施形態のコマーシャル入り楽曲データ６の特徴を図５の説明図を用いて説明する。図示しない作成装置によって、楽曲データ６０の前側にコマーシャルデータ６１が接合されており、更にこのコマーシャルデータ６１の前側にライフタイムデータ６２が接合されている。このライフタイムデータ６２には初期値として一例として整数値の１０が設定されているが、図示しない再生装置によってこのライフタイムデータ６２の部位は書き換えることができるようになっている。なおこのコマーシャルデータ６１は音声付きの動画である。【００２０】  このコマーシャル入り楽曲データ６は、図示しないユーザー端末で受信されて演奏されるが、先ずライフタイムデータ６２が読み出され、この値が調べられて値が０になっていなければ、ライフタイムデータ６２に続くコマーシャルデータ２１を再生することと次の楽曲データ２０を再生することとが順次に実行され、この回の再生が終了したならばライフタイムデータ６２の値から１を減ずるのである。こうして値が０になったならばこのコマーシャル入り楽曲データ６の消去とその旨の表示を行なって終了するのである。【００２１】  ［第４実施形態］
この実施形態のコマーシャル入り楽曲データ８の特徴を図６の説明図を用いて説明する。図示しない作成装置はこれまでにダウンロードされた実績からコマーシャル入り楽曲データのダウンロードランキング７０一覧を作成する。ユーザーは主として好みの楽曲をダウンロードするため、コマーシャル入り楽曲データのランキングはすなわち楽曲ランキングであると言うことが出来る。一方でスポンサーから支払われる宣伝料金の多少に応じた料金ランキング７１の一覧を作成する。こうして楽曲データのダウンロードランキング７０と料金ランキング７１から成るランキングテーブル７が形成される。【００２２】  このランキングテーブル７に基づいて、図示しない作成装置は、ダウンロードランキング第１位の楽曲データと料金ランキング第１位のコマーシャルデータとを組み合わせ、以下順位に基づいた組み合わせを作成し、これを基にして図６に示したコマーシャル入り楽曲データを作成するのである。このコマーシャル入り楽曲データ８はランキング第１位のものに係り、第１位の楽曲データ８０の前後に第１位のコマーシャルデータ８１，８１が接合されており、更に前側の第１位のコマーシャルデータ８１の前にはライフタイムデータ８２が接合されている。なお第２位以下の組み合わせも同様にして作成する。このようにして出来上がったコマーシャル入り楽曲データ８を図示しない記憶装置のコマーシャル入り楽曲データ記憶部に記録しておくようにする。【００２３】  なおランキングテーブル７に於いては料金ランキング７１もそうであるが特にダウンロードランキング７０は刻々と変化するものであるため、上述の同順位の楽曲データ８０とコマーシャルデータ８１との組み合わせ処理が定時的に行なわれるようにするのが好ましい。また組み合わせの規則は、宣伝料金の多少に応じた料金ランキング７１のみならず宣伝依頼回数の多少によるランキングを参考にするなど、任意のものを採用することが出来る。またあるコマーシャルデータを２以上の楽曲データと組み合わせることもあり得る。
【産業上の利用可能性】
【００２４】  この考案は楽曲データに限られることなく広く動画データや漫画データや書籍データなどにも適用することが可能である。特にこれ等のデータとコマーシャルデータとの組み合わせをランキングに基づいて変更したりライフタイムを設定したりすることを可能にしている点は重要であり、産業上の利用価値が高いものであると言うことが出来る。なおこの考案のコマーシャル入り楽曲データの１単位を複数個、連続させて接合したものとして提供することも可能である。またこの複数個を何等かのプレイリストに基づいて並べるようにしても良い。
【図面の簡単な説明】
【００２５】
【図１】  第１実施形態の作成装置のブロック図である。
【図２】  コマーシャル入り楽曲データの説明図である。
【図３】  配信の状態を表わす説明図である。
【図４】  第２実施形態の作成装置のブロック図である。
【図５】  第３実施形態のコマーシャル入り楽曲データの説明図である。
【図６】  第４実施形態のコマーシャル入り楽曲データの説明図である。
【符号の説明】
【００２６】  １    作成装置
１０  記憶装置
１１  楽曲データ記憶部
１２  コマーシャルデータ記憶部
１３  記憶制御部
１４  データ編集部
１５  通信部
２    コマーシャル入り楽曲データ
２０  音楽データ
２１  コマーシャル（ＣＭ）データ
２２  コマーシャル入り楽曲データ
２３  コマーシャル入り楽曲データ
３    作成装置
３０  記憶装置
３１  コマーシャル入り楽曲データ記憶部
３２  楽曲データ記憶部
３３  コマーシャルデータ記憶部
３４  記憶制御部
３５  データ編集部
３６  ストリーム送信部
４    コマーシャル入り楽曲データ
４０  楽曲データ
４１  コマーシャル（ＣＭ）データ
５    ＣＤ−ＲＯＭ
６    コマーシャル入り楽曲データ
６０  楽曲データ
６１  コマーシャル（ＣＭ）データ
６２  ライフタイムデータ
７    ランキングテーブル
７０  ダウンロードランキング
７１  料金ランキング
８    コマーシャル入り楽曲データ
８０  第１位の楽曲データ
８１  第１位のコマーシャル（ＣＭ）データ
８２  ライフタイムデータ
９    ユーザー端末
【図１】
0003146496.tif 000003
【図２】
0003146496.tif 000004
【図３】
0003146496.tif 000005
【図４】
0003146496.tif 000006
【図５】
0003146496.tif 000007
【図６】
0003146496.tif 000008
【手続補正書】
【提出日】平成20年8月22日(2008.8.22)
【手続補正１】
【補正対象書類名】実用新案登録請求の範囲
【補正対象項目名】請求項４
【補正方法】変更
【補正の内容】
【請求項４】
前記コマーシャルデータが音声データである請求項１に記載のコマーシャル入り楽曲データの作成装置。
【手続補正２】
【補正対象書類名】実用新案登録請求の範囲
【補正対象項目名】請求項５
【補正方法】変更
【補正の内容】
【請求項５】
前記コマーシャルデータが動画データである請求項１に記載のコマーシャル入り楽曲データの作成装置。